(57)【要約】【課題】変圧器のタンク底面とベースと設置面とによって構成される空間において発生する騒音を簡易に低減すること。【解決手段】床面等の設置面上に形鋼等からなるベースを介して設置される電力用変圧器において、前記電力用変圧器の下部には、該電力用変圧器のタンク底板とベースと設置面とによって複数の空間が形成されており、前記複数の空間のうち、その長手方向及び／または幅方向が、一方端がベースにより閉鎖され他方端が開口した状態の一端開空間となっている空間においては、前記一端開空間の長さ寸法が、該一端開空間において共鳴が発生する周波数と電力用変圧器の通電騒音の周波数とが一致する長さ寸法であるときに、前記一端開空間における一方端を閉鎖するベースに、該ベースの強度に悪影響を及ぼさない大きさで孔部を設けるようにした。【選択図】図３
2007266517.tif 000002
【特許請求の範囲】
【請求項１】
床面等の設置面上に形鋼等からなるベースを介して設置される電力用変圧器において、前記電力用変圧器の下部には、該電力用変圧器のタンク底板とベースと設置面とによって複数の空間が形成されており、前記複数の空間のうち、その長手方向及び／または幅方向が、一方端がベースにより閉鎖され他方端が開口した状態の一端開空間となっている空間においては、前記一端開空間の長さ寸法が、該一端開空間において共鳴が発生する周波数と電力用変圧器の通電騒音の周波数とが一致する長さ寸法であるときに、前記一端開空間における一方端を閉鎖するベースに孔部を設けるようにしたことを特徴とする電力用変圧器。
【請求項２】
前記孔部は、ベースの所定位置に、該ベースの強度に悪影響を及ぼさない大きさで設けるようにしたことを特徴とする請求項１記載の電力用変圧器。
【発明の詳細な説明】
【技術分野】
【０００１】
本発明は、送受配電用設備に使用する電力用変圧器に係り、その目的は、電力用変圧器の運転中に発生する騒音を良好に低減することにある。
【背景技術】
【０００２】
従来、変圧器において発生する騒音の主体は、鉄心を構成するけい素鋼板の磁歪に起因する無負荷時の励磁騒音であり、前記励磁騒音の周波数の主成分は、電源の周波数が５０Ｈｚの場合１００Ｈｚの整数倍（１００Ｈｚ、２００Ｈｚ、３００Ｈｚ、…）、電源の周波数が６０Ｈｚの場合１２０Ｈｚの整数倍（１２０Ｈｚ、２４０Ｈｚ、３６０Ｈｚ、…）であることはよく知られている。
【０００３】
一方、励磁騒音の他に、変圧器に負荷を接続することにより発生する騒音がある。この騒音は通電騒音と呼ばれ、従来はほとんど問題にならなかったが、励磁騒音の低減にともなって前記通電騒音を無視できない場合も出てきた。変圧器に負荷を接続することにより巻線に電磁力（Ｆ＝Ｉ×Ｂ）が発生する。この電磁力は、巻線の半径方向と軸方向に発生し、巻線を半径方向と軸方向に振動させるとともに、漏れ磁束の通路にある変圧器タンクや磁気シールド等にも、この電磁力に起因する振動が発生する。前記通電騒音は、前述のように巻線や変圧器タンク等の振動により発生するものである。そして、通電騒音の周波数は、電源の周波数が５０Ｈｚの場合は１００Ｈｚ、電源の周波数が６０Ｈｚの場合では１２０Ｈｚが主となる。
【０００４】
つづいて、変圧器を床面等の設置面上に、例えば、Ｈ形鋼等の形鋼からなるベースを介して設置した状態で使用する場合、前記変圧器において発生する通電騒音が、前記変圧器のタンク底面とベースと設置面とによって形成される空間において共鳴し、これにより前記空間の開口部から発生する通電騒音が増大することがある。前記通電騒音の増大を防ぐために、従来においては、変圧器のタンク底面とベースと設置面とによって形成される空間の開口部を、板材等を用いて閉鎖するとともに、前記閉鎖された空間内に発泡材を充填するようにしていた（例えば、特許文献１参照）。
【０００５】
【特許文献１】特開平１１−４５８１０号公報
【発明の開示】
【発明が解決しようとする課題】
【０００６】
然るに、特許文献１記載の技術においては、空間の開口部を板材等を用いて閉鎖したり、前記開口部を閉鎖した空間内に発泡材を充填したり、更には、前記板材等と設置面との間の隙間に音漏れを防ぐためのコーキングを施したりする等といった作業が必要となるため、非常に手間と時間が掛かり面倒であるばかりでなく、前記空間内に充填する発泡材が多量に必要となるため、製造コストが増大する等という問題があった。
【０００７】
本発明は、前記種々の問題点に鑑み、変圧器のタンク底面とベースと設置面とによって構成される空間において発生する騒音を簡易に低減することが可能で、かつ、製造コストの増大を良好に防ぐことが可能な電力用変圧器を提供することを目的とする。
【課題を解決するための手段】
【０００８】
前記課題を解決するために、請求項１記載の発明は、床面等の設置面上に形鋼等からなるベースを介して設置される電力用変圧器において、前記電力用変圧器の下部には、該電力用変圧器のタンク底板とベースと設置面とによって複数の空間が形成されており、前記複数の空間のうち、その長手方向及び／または幅方向が、一方端がベースにより閉鎖され他方端が開口した状態の一端開空間となっている空間においては、前記一端開空間の長さ寸法が、該一端開空間において共鳴が発生する周波数と電力用変圧器の通電騒音の周波数とが一致する長さ寸法であるときに、前記一端開空間における一方端を閉鎖するベースに孔部を設けるようにしたことを特徴とする。
【０００９】
請求項２記載の発明は、請求項１記載の電力用変圧器において、前記孔部は、ベースの所定位置に、該ベースの強度に悪影響を及ぼさない大きさで設けるようにしたことを特徴とする。
【発明の効果】
【００１０】
請求項１記載の発明によれば、長手方向及び／または幅方向が一端開空間である空間において、前記一端開空間の長さ寸法が、該空間において共鳴が発生する周波数と電力用変圧器の通電騒音の周波数とが一致する長さ寸法となっている場合、前記一端開空間の一方端を閉鎖しているベースに孔部を設け、前記空間を一端開空間から擬似的な両端開空間とすることにより、前記空間において共鳴が発生する周波数と電力用変圧器の通電騒音の周波数とが一致しなくなり、この結果、前記空間から発生する騒音を良好に低減することができる。また、一端開空間の一方端を閉鎖しているベースに孔部を設けるという簡易な手段により、空間から発生する騒音を低減することができるので、電力用変圧器の製造コストが増大するのを良好に防ぐことができる。
【００１１】
請求項２記載の発明によれば、ベースの所定位置に孔部を、前記ベースの強度に悪影響を及ぼさない大きさで設けるようにしたので、ベースに孔部を設けることにより、前記ベースの強度が低下するという問題を確実に防ぐことができる。
【発明を実施するための最良の形態】
【００１２】
以下、本発明を実施するための最良の形態について、図１ないし図７を参照しながら説明する。図１は電力用変圧器の一例を示す側面図、図２は同じく電力用変圧器の一例を示す正面図である。図１，２で示すように、電力用変圧器１は、鉄心２及び巻線３からなる変圧器中身４を絶縁油とともにタンク５内へ収容することにより構成されている。前記タンク５の底板５ａには、図３で示すように、例えば、Ｈ形鋼等の形鋼を用いて井桁状に形成した前記底板５ａの補強を兼ねるベース６が溶接等により取付けられており、前記ベース６を設置面７に埋設した図示しない埋込ベースにボルト等を用いて固定することにより、前記電力用変圧器１は設置面７上に揺動不能に設置される。
【００１３】
なお、図１，２において、８，９はタンク５の上面に所定数設けた１次及び２次ブッシングである。また、図１，２には図示していないが、前記タンク５の側壁には、その高さ方向（図１，２の上下方向）、長手方向及び幅方向（図１，２の左右方向）に沿って、例えば、Ｈ形鋼等の形鋼からなる補強部材が取付けられている。
【００１４】
つづいて、前記のようにベース６を介して設置面７上に設置した電力用変圧器１に負荷を接続すると、巻線３に流れる電流と磁場との相互関係により電磁力が発生し、この電磁力により前記巻線３は半径方向及び軸方向に振動するとともに、タンク５にも前記電磁力に起因する振動が発生する。そして、これらの振動が電力用変圧器１において発生する通電騒音の要因となる。
【００１５】
このとき、前記電力用変圧器１の下部には、タンク５の底板５ａとベース６と設置面７とによって、図３で示すように、複数の空間Ｓ１〜Ｓ４が形成されている。一般に、電力用変圧器１において発生する通電騒音の周波数と、前記空間Ｓ１〜Ｓ４において共鳴が発生する周波数（空間Ｓ１〜Ｓ４における定在波の周波数）とが一致している場合に、騒音が増大することが知られている。前記空間Ｓ１〜Ｓ４において共鳴が発生する周波数は、次の（１）式及び（２）式により求めることができる。
【００１６】
【数１】
2007266517.tif 000003
【００１７】
ここで、ｆ：空間において共鳴が発生する周波数
ｍ：１以上の整数
Ｖ0：音速
ｄ：空間の長さ寸法
をそれぞれ示す。
【００１８】
前記（１）式及び（２）式より、空間Ｓ１〜Ｓ４において共鳴が発生する周波数は、前記空間Ｓ１〜Ｓ４における３辺（長手方向、幅方向，高さ方向）の長さ寸法を適宜設定することにより、電力用変圧器１の通電騒音の周波数と一致しないようにできることがわかる。
【００１９】
しかしながら、電力用変圧器１を設計する上での種々の理由により、前記空間Ｓ１〜Ｓ４における３辺の長さ寸法のうち、少なくとも１辺の長さ寸法が、空間Ｓ１〜Ｓ４において共鳴が発生する周波数と電力用変圧器１の通電騒音の周波数とが一致する長さ寸法となるのを避けられないことも有り得る。
【００２０】
前記のように空間Ｓ１〜Ｓ４における３辺の長さ寸法のうち、少なくとも１辺の長さ寸法が、空間Ｓ１〜Ｓ４において共鳴が発生する周波数と電力用変圧器１の通電騒音の周波数とが一致する長さ寸法になっている場合に、電力用変圧器１の下部（即ち、空間Ｓ１〜Ｓ４）から発生する騒音は増大する。特に、空間Ｓ４を除く空間Ｓ１〜Ｓ３は、その高さ方向（図３の上下方向）を除く長手方向（図３の左下−右上方向）及び／または幅方向（図３の左上−右下方向）が、一方端がベース６により閉鎖され、かつ、他方端（外周側）が開口した一端開空間となっているため、前記一端開空間における長さ寸法が、一端開空間において共鳴が発生する周波数と電力用変圧器１の通電騒音の周波数とが一致する長さ寸法となっていると、電力用変圧器１の下部（一端開空間の開口部）から発生する騒音は顕著となる。
【００２１】
そこで、本発明においては、電力用変圧器１を設計する上での種々の理由により、前記電力用変圧器１の下部に形成される空間Ｓ１〜Ｓ４のうち、例えば、空間Ｓ３における長手方向（図３の左下−右上方向）の長さ寸法が、空間Ｓ３において共鳴が発生する周波数と電力用変圧器１の通電騒音の周波数とが一致する長さ寸法となっているような場合に、前記空間Ｓ３から発生する騒音を低減するための手段として、図３で示す如く前記空間Ｓ３の長手方向の一方端を閉鎖するベース６に、該ベース６の強度に悪影響を及ぼさない大きさで孔部６ａを設けるようにした。
【００２２】
前記のように、ベース６に孔部６ａを設けることにより、空間Ｓ３の長手方向は一端開空間から擬似的な両端開空間となる。このとき、ベース６に孔部６ａを設ける場合と設けない場合において、空間Ｓ３における長手方向の長さ寸法が同一であるとすると、段落［００１６］に記載した（１）式及び（２）式より、空間Ｓ３で共鳴が発生する周波数は、前記空間Ｓ３の長手方向が一端開空間である場合と、両端開空間である場合とでは一致しないことがわかる。従って、空間Ｓ３における長手方向が一端開空間である場合には電力用変圧器１の通電騒音の周波数に対して共鳴を発生しても、前記空間Ｓ３における長手方向を、その一方端を閉鎖しているベース６に孔部６ａを設けて擬似的な両端開空間とすることにより、電力用変圧器１の通電騒音の周波数に対して共鳴が発生し難くなるものと考えられる。
【００２３】
次に、前記の如く空間Ｓ３における長手方向の一方端を閉鎖するベース６に孔部６ａを設けることにより、前記空間Ｓ３から発生する騒音を低減することが可能であることを確認するために、図４ないし図６で示す空間モデルＭ１〜Ｍ４を使用して検証を行った。
【００２４】
図４で示す空間モデルＭ１は、ベース６に孔部６ａを設けていない場合の空間Ｓ３を模擬している。前記空間モデルＭ１は、その高さ方向における上方端、長手方向における一方端及び幅方向における両端が、それぞれ電力用変圧器１のタンク５の底板５ａ及びベース６を模擬した壁面により囲繞されており、かつ、長手方向における他方端には開口部ｋ１が開口されている。また、前記空間モデルＭ１における長手方向の長さ寸法Ｌｘは、空間モデルＭ１において共鳴が発生する周波数と電力用変圧器１の通電騒音の周波数とが一致する長さ寸法に、高さ方向及び幅方向の長さ寸法Ｌｙ，Ｌｚは、空間モデルＭ１において共鳴が発生する周波数と電力用変圧器１の通電騒音の周波数とが一致しない長さ寸法に、それぞれ設定されている。
【００２５】
また、図５で示す空間モデルＭ２，Ｍ３は、ベース６に孔部６ａを設けた場合の空間Ｓ３を模擬している。前記空間モデルＭ２，Ｍ３は、その長手方向における一方端を閉鎖する壁面に、ベース６に設けた孔部６ａを模擬した孔部ｈが設けられている点を除いて、空間モデルＭ１と同様に形成されており、また、前記空間モデルＭ２，Ｍ３の各方向における長さ寸法Ｌｘ，Ｌｙ，Ｌｚも、空間モデルＭ１と同様に設定されている。なお、図５（ａ）で示す空間モデルＭ２に設けた孔部ｈの幅方向における長さ寸法Ｌｈは、前記空間モデルＭ２の幅方向における長さ寸法Ｌｚの約２０％に設定されており、図５（ｂ）で示す空間モデルＭ３に設けた孔部ｈの幅方向における長さ寸法Ｌｈは、前記空間モデルＭ３の幅方向における長さ寸法Ｌｚの約６０％に設定されている。また、前記孔部ｈの高さ方向における長さ寸法は、空間モデルＭ２，Ｍ３の高さ方向における長さ寸法Ｌｙとほぼ同一となるように設定されている。
【００２６】
更に、図６で示す空間モデルＭ４は、長手方向における両端部に開口部ｋ１，ｋ２を開口した、即ち、前記長手方向を両端開空間とした空間を模擬している。前記空間モデルＭ４は、長手方向における両端部に開口部ｋ１，ｋ２を開口した点を除いて、空間モデルＭ１とほぼ同様に形成されており、また、前記空間モデルＭ４の各方向における長さ寸法Ｌｘ，Ｌｙ，Ｌｚも、空間モデルＭ１と同様に設定されている。
【００２７】
そして、前記のように設定した空間モデルＭ１〜Ｍ４を床面等の設置面上に設置するとともに、前記空間モデルＭ１〜Ｍ４上の所定位置に電力用変圧器１を模擬した音源を配置し、この状態で、前記音源に起因して空間モデルＭ１〜Ｍ４の長手方向における他方端に開口した開口部ｋ１から発生する音圧を測定した。
【００２８】
この結果、空間モデルＭ１の開口部ｋ１から発生する音圧は、図７に実線で示すように、電力用変圧器１の通電騒音の周波数である１００〜１２０Ｈｚ付近において最大となった。
【００２９】
また、空間モデルＭ２，Ｍ３の開口部ｋ１から発生する音圧は、図７に点線で示すように、電力用変圧器１の通電騒音の周波数である１２０Ｈｚよりも高い周波数（１６０〜１９０Ｈｚ付近）において最大となり、かつ、音圧の最大値は孔部ｈを設けていない場合（図７の実線参照）に比べ、７〜８ｄＢ程度減少した。
【００３０】
更に、空間モデルＭ４の開口部ｋ１から発生する音圧は、図７に１点鎖線で示すように、２００〜２２０Ｈｚ付近において最大となり、かつ、音圧の最大値は一端開空間（空間モデルＭ１）の場合（図７の実線参照）に比べ、８〜９ｄＢ程度減少した。
【００３１】
以上のように、電力用変圧器１の下部に形成される空間Ｓ１〜Ｓ４のうち、例えば、空間Ｓ３の長手方向（一端開空間）における長さ寸法が、空間Ｓ３において共鳴が発生する周波数と電力用変圧器１の通電騒音の周波数とが一致する長さ寸法となっている場合、前記空間Ｓ３の長手方向における一方端を閉鎖しているベース６に、該ベース６の強度に悪影響を及ぼさない大きさで孔部６ａを設けることにより、前記空間Ｓ３（空間モデルＭ２，Ｍ３）における周波数特性（図７の点線参照）が、一端開空間（空間モデルＭ１）における周波数特性（図７の実線参照）よりも、両端開空間（空間モデルＭ４）における周波数特性（図７の１点鎖線参照）に近いものとなり、この結果、前記空間Ｓ３から発生する騒音を良好に低減することが可能であることを、図４ないし図６で示す空間モデルＭ１〜Ｍ４を使用した検証から確認することができた。
【００３２】
なお、本実施例においては、孔部ｈの幅方向における長さ寸法Ｌｈを、空間モデルＭ２においてはその幅方向における長さ寸法Ｌｚの約２０％とした場合、空間モデルＭ３においてはその幅方向における長さ寸法Ｌｚの約６０％とした場合について検証を行ったが、図７に点線で示すように、音圧が最大となる周波数は若干異なるものの、どちらの場合も音圧の最大値にはほとんど差異を生じなかった。この結果、ベース６に設ける孔部６ａを必要以上に大きくしなくても、騒音を低減させる効果が得られると考えられるので、前記孔部６ａを設けることにより、ベース６の強度が低下する等という問題を確実に回避することが可能となる。
【００３３】
また、ベース６の所定位置に複数の孔部６ａを設けた場合を想定した検証も別途行ったが（結果は図示せず）、空間モデルＭ２，Ｍ３を使用して行った検証結果と比べて、特性的な差異は特に見られなかった。この結果、ベース６には所定位置に１ヶ所のみ孔部６ａを設ければ、十分に騒音を低減させることができるものと考えられるので、前記ベース６に孔部６ａを設ける作業を、手間や時間を要することなく円滑・迅速に行うことが可能となる。
【００３４】
なお、前記のように、空間Ｓ３の長手方向における一方端を閉鎖するベース６に孔部６ａを設けることにより、前記空間Ｓ３と隣接する空間Ｓ４における長手方向は、両端閉空間から擬似的な一端開空間となるが、これによって前記空間Ｓ４において共鳴が発生する周波数と電力用変圧器１の通電騒音の周波数とが一致しないように、前記空間Ｓ４の長手方向における長さ寸法をあらかじめ設定しておけば、前記空間Ｓ４から発生する騒音が増大するようなことはない。また、前記のように空間Ｓ３，Ｓ４間におけるベース６に孔部６ａを設けることにより、前記空間Ｓ４における長手方向が擬似的な一端開空間となり、空間Ｓ４において共鳴が発生する周波数と電力用変圧器１の通電騒音の周波数とが一致してしまうような場合には、前記空間Ｓ４，Ｓ４間におけるベース６にも、該ベース６の強度に悪影響を及ぼさない大きさで孔部６ａを設けて、前記空間Ｓ４の長手方向を擬似的な両端開空間とすれば、前記空間Ｓ４から発生する騒音が増大するようなことはない。
【００３５】
このように、本発明においては、電力用変圧器１の下部に形成される複数の空間Ｓ１〜Ｓ４のうち、長手方向及び／または幅方向が一端開空間となっている空間Ｓ１〜Ｓ３において、前記一端開空間の長さ寸法が、該一端開空間において共鳴が発生する周波数と電力用変圧器１の通電騒音の周波数とが一致する長さ寸法となっている、即ち、前記一端開空間において通電騒音が共鳴し、前記通電騒音が増大するような場合でも、従来のように空間の開口部を板材等により閉鎖したり、前記開口部を閉鎖した空間内に発泡材を充填したり、更には、前記開口部を閉鎖する板材等と設置面との間の隙間に音漏れを防ぐためのコーキングを施したりすることなく、前記一端開空間の一方端を閉鎖しているベース６に孔部６ａを設けるという簡易な手段により、前記空間Ｓ１〜Ｓ３から発生する騒音を良好に低減することが可能となる。
【００３６】
なお、本実施例においては、電力用変圧器１の下部に形成される複数の空間Ｓ１〜Ｓ４のうち、空間Ｓ３の長手方向（一端開空間）における長さ寸法が、空間Ｓ３において共鳴が発生する周波数と電力用変圧器１の通電騒音の周波数とが一致する長さ寸法となっている場合を一例として説明したが、空間Ｓ１の長手方向及び／または幅方向（一端開空間）における長さ寸法、あるいは、空間Ｓ２の幅方向（一端開空間）における長さ寸法が、空間Ｓ１，Ｓ２において共鳴が発生する周波数と電力用変圧器１の通電騒音の周波数とが一致する長さ寸法となっている場合でも、各空間Ｓ１，Ｓ２の各方向における一方端を閉鎖しているベース６に孔部６ａを設け、前記各空間Ｓ１，Ｓ２の各方向を一端開空間から擬似的な両端開空間とすることにより、空間Ｓ１，Ｓ２から発生する騒音を低減することが可能となる。
【００３７】
また、空間Ｓ２の長手方向（両端閉空間）における長さ寸法、空間Ｓ３の幅方向（両端閉空間）における長さ寸法、空間Ｓ４の長手方向及び／または幅方向（両端閉空間）における長さ寸法が、空間Ｓ２〜Ｓ４において共鳴が発生する周波数と電力用変圧器１の通電騒音の周波数とが一致する長さ寸法となっている場合は、各空間Ｓ２〜Ｓ４の各方向における両端部を閉鎖しているベース６のうち、いずれか一方の端部を閉鎖しているベース６に孔部６ａを設け、前記各空間Ｓ２〜Ｓ４の各方向を両端閉空間から擬似的な一端開空間とすることにより、空間Ｓ２〜Ｓ４から発生する騒音を良好に低減することが可能となると考えられる。
【図面の簡単な説明】
【００３８】
【図１】電力用変圧器の一例を示す側面図である。
【図２】電力用変圧器の一例を示す正面図である。
【図３】タンクの底板とベースと設置面とによって形成される空間を示す斜視図である。
【図４】（ａ）は一端開空間における一方端を閉鎖するベースに孔部を設けていない状態を模擬した空間モデルを示す斜視図、（ｂ）は（ａ）における空間モデルを異なる角度から見た状態を示す斜視図である。
【図５】（ａ），（ｂ）は一端開空間における一方端を閉鎖するベースに孔部を設けた状態を模擬した空間モデルを示す斜視図である。
【図６】図４，図５における空間モデルと３辺の長さ寸法が同一な両端開空間を模擬した空間モデルを示す斜視図である。
【図７】図４，５，６の空間モデルにおける周波数特性を示す特性図である。
【符号の説明】
【００３９】
１  電力用変圧器
５  タンク
５ａ  底板
６  ベース
６ａ  孔部
７  設置面
Ｓ１〜Ｓ４  空間
Ｍ１〜Ｍ４  空間モデル
ｈ  孔部
【図１】
2007266517.tif 000004
【図２】
2007266517.tif 000005
【図３】
2007266517.tif 000006
【図４】
2007266517.tif 000007
【図５】
2007266517.tif 000008
【図６】
2007266517.tif 000009
【図７】
2007266517.tif 000010